【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
データおよびそのデータの管理情報を記憶するデータ記憶手段と、
データ記憶手段に記憶されるデータおよびその管理情報を、データベースとして処理するデータベース処理手段と、
データベース処理手段によって、データ記憶手段に記憶されているデータに対して、追加、修正または削除のうちのいずれかの変更操作が行われるとき、変更情報を記憶する変更記憶手段と、
データの送受信を行う通信手段と、
通信手段を介して他のデータベース管理装置とデータの送受信を行うとき、変更記憶手段に記憶されている変更情報も送受信し、変更情報に基づいてデータベースの同一化処理を行うシンクロナイズ手段とを含むことを特徴とするデータベース管理装置。
【請求項２】
前記データの管理情報には、前記シンクロナイズ手段による同一化の対象となるデータであるか否かを示すシンクロ対象情報が含まれることを特徴とする請求項１記載のデータベース管理装置。
【請求項３】
前記データの管理情報には、前記シンクロナイズ手段による同一化処理中であるか否かを示すシンクロ中フラグが含まれ、
前記データベース処理手段は、シンクロ中フラグを参照し、同一化処理中であるとき、データを変更する処理を抑止することを特徴とする請求項１または２記載のデータベース管理装置。
【請求項４】
前記データの管理情報には、予め設定される固有の自己識別情報と、前記通信手段を介してデータの送受信を行う相手を示す相手識別情報とが含まれ、
前記シンクロナイズ手段は、通信手段を介して他のデータベース管理装置との間で同一化処理を行うときに、他のデータベース管理装置との間で自己識別情報の送受信を行い、他のデータベース管理装置の自己識別情報が相手識別情報に適合しているときにのみ、同一化処理を行うことを特徴とする請求項１〜３のいずれかに記載のデータベース管理装置。
【請求項５】
前記データの管理情報には、同一のデータに対して異なるデータベース管理装置で別個に変更操作が行われているときに、優先されるデータベース管理装置を示す優先識別情報が含まれ、
前記シンクロナイズ処理手段は、同一化処理の相手となる他のデータベース管理装置の自己識別情報が優先識別情報と適合し、同一のデータについて自己と相手とで変更操作が行われているとき、他のデータベース管理装置の変更情報を優先して同一化処理を行うことを特徴とする請求項１〜４のいずれかに記載のデータベース管理装置。
【請求項６】
前記データの管理情報には、各データ毎に変更操作が行われた最終の日時を示す最終変更日情報が含まれ、
前記シンクロナイズ処理手段は、前記通信手段を介して他のデータベース管理装置を相手としてデータの同一化処理を行う際に、同一のデータについて自己と相手とで変更操作が行われているとき、自己の最終変更日情報と相手の最終変更日情報とを比較し、最新の最終変更日情報を有するデータを優先することを特徴とする請求項１〜４のいずれかに記載のデータベース管理装置。
【請求項７】
前記シンクロナイズ処理手段は、前記通信手段を介してデータの同一化処理を行う際に、同一のデータについて自己と相手とで変更操作が行われてデータ衝突問題が生じるときに、予め準備される複数の解決方法を選択可能であることを特徴とする請求項１〜４のいずれかに記載のデータベース管理装置。
【請求項８】
データの送受信を行う通信手段を備えるコンピュータを、
データおよびそのデータの管理情報を記憶するデータ記憶手段と、
データ記憶手段に記憶されるデータおよびその管理情報を、データベースとして処理するデータベース処理手段と、
データベース処理手段によって、データ記憶手段に記憶されているデータに対して、追加、修正または削除のうちのいずれかの変更操作が行われるとき、変更情報を記憶する変更記憶手段と、
通信手段を介して他のデータベース管理装置とデータの送受信を行うとき、変更記憶手段に記憶されている変更情報も送受信し、変更情報に基づいてデータベースの同一化処理を行うシンクロナイズ手段とを含むデータベース管理装置として機能させるためのプログラムを記録した媒体。
【請求項９】
前記シンクロナイズ手段は、
前記他のデータベース管理装置から変更情報および変更情報に対応するデータを受信する処理と、
前記他のデータベース管理装置へ変更情報および変更情報に対応するデータを送信する処理とを行った後に、
前記他のデータベース管理装置から受信した変更情報と変更記憶手段に記憶した変更情報とに基づき、データ記憶手段に記憶するデータの変更処理を行うことを特徴とする請求項１記載のデータベース管理装置。
【請求項１０】
携帯情報端末であることを特徴とする請求項１〜７，９のいずれかに記載のデータベース管理装置。
【請求項１１】
前記通信手段が無線でデータの送受信を行うことを特徴とする請求項１〜７，９，１０のいずれかに記載のデータベース管理装置。
【手続補正２】
【補正対象書類名】明細書
【補正対象項目名】００１６
【補正方法】変更
【補正の内容】
【００１６】
また本発明は、データの送受信を行う通信手段を備えるコンピュータを、
データおよびそのデータの管理情報を記憶するデータ記憶手段と、
データ記憶手段に記憶されるデータおよびその管理情報を、データベースとして処理するデータベース処理手段と、
データベース処理手段によって、データ記憶手段に記憶されているデータに対して、追加、修正または削除のうちのいずれかの変更操作が行われるとき、変更情報を記憶する変更記憶手段と、
通信手段を介して他のデータベース管理装置とデータの送受信を行うとき、変更記憶手段に記憶されている変更情報も送受信し、変更情報に基づいてデータベースの同一化処理を行うシンクロナイズ手段とを含むデータベース管理装置として機能させるためのプログラムを記録した媒体である。
本発明に従えば、コンピュータは媒体から読出したプログラムによってデータベース管理装置として動作する。媒体に記憶されているプログラムであるデータベース処理手段はデータ記憶手段に記録されているデータの追加、修正または削除を行い、その変更操作についての情報が変更記憶手段に記憶される。２つのデータベース管理装置でデータ記憶手段に記憶されているデータを同一にするときには、通信手段で変更情報と対応するデータとを互いに送受信する。シンクロナイズ手段は、相手側のデータベース管理装置から送られるデータと変更情報とに基づいて自己と相手側とのデータベースの同一化処理を行う。データ記憶手段に記憶されているデータを変更する際には、いずれのデータをどのように変更したかが変更情報として変更記憶手段に記憶されるので、２つのデータベース管理装置の間で通信が可能となったときに、互いに変更情報を送受信し、受信した変更情報に基づいてデータを変更することで２つのデータベース管理装置におけるデータを同一にすることができる。フロッピーディスクおよびＩＣカードなどの媒体にプログラムを記録しておき、同一化処理を行う際に読出して実行させることができる。
また本発明は、前記シンクロナイズ手段は、
前記他のデータベース管理装置から変更情報および変更情報に対応するデータを受信する処理と、
前記他のデータベース管理装置へ変更情報および変更情報に対応するデータを送信する処理とを行った後に、
前記他のデータベース管理装置から受信した変更情報と変更記憶手段に記憶した変更情報とに基づき、データ記憶手段に記憶するデータの変更処理を行うことを特徴とする。
本発明に従えば、たとえば後述の図１３に示されるユーザによって操作される側の端末と図１４に示される相手側の端末との間でデータの追加、修正または削除を行ってシンクロナイズ処理をするにあたり、ユーザによって操作される側の端末の管理情報およびデータを送信し、相手側の端末の管理情報およびデータを受信した後に、変更データ反映処理をそれぞれ行う。
また本発明は、携帯情報端末であることを特徴とする。
また本発明は、前記通信手段が無線でデータの送受信を行うことを特徴とする。


【手続補正３】
【補正対象書類名】明細書
【補正対象項目名】００８７
【補正方法】変更
【補正の内容】
【００８７】
またさらに本発明によれば、コンピュータはフロッピーディスクおよびＩＣカードなどの媒体から読出したプログラムによって、データベース管理装置として動作する。媒体から読出し、実行するプログラムによって、データ記憶手段に記憶されているデータを変更する際に、いずれのデータをどのように変更したかが変更情報として変更記憶手段に記憶される。２つのデータベース管理装置として動作するコンピュータの間で通信手段を介してデータの授受が可能となったときに、互いに変更情報を送受信し、受信した変更情報に基づいてデータを変更することで２つのデータベース管理装置におけるデータを同一にすることができる。コンピュータをデータベース管理装置として機能させるためのプログラムは、フロッピーディスクおよびＩＣカードなどの媒体に記憶されているので、コンピュータは少なくとも通信手段を含むコンピュータであればデータベース管理装置として動作させることができる。
また本発明によれば、たとえば前述の図１３に示されるユーザによって操作される側の端末と図１４に示される相手側の端末との間でデータの追加、修正または削除を行ってシンクロナイズ処理をするにあたり、ユーザによって操作される側の端末の管理情報およびデータを送信し、相手側の端末の管理情報およびデータを受信した後に、変更データ反映処理をそれぞれ行う。
また本発明によれば、無線で通信手段が送受信を行う。